(57)【要約】【課題】固定部材の取付作業性を向上させるとともに、固定部材の破損を抑制することが可能な遊技機を提供する。【解決手段】遊技機１は、遊技機１に設けられる取付ベース部材５と、取付ベース部材５よりも小形な被取付部材９０と、被取付部材９０を取付ベース部材５に固定する固定部材３００と、を備え、固定部材３００は、軸部３１０と、軸部３１０の一端に設けられる係合片３２０と、軸部３１０の他端に設けられる操作部３３０とを備え、被取付部材９０は、操作部３３０が摺動可能な摺動壁１１０と、固定部材３００の軸部３１０を回動可能に支持する軸受部１７１と、軸受部１７１の先端から係合片３２０に向かって突出形成され、係合片３２０に当接可能な当接部１７２とを備え、取付ベース部材５は、当接状態の係合片３２０及び当接部１７２を挿通可能な挿通孔４６を有し、挿通孔４６に挿通された係合片３２０と係合可能な係合受部４５を備える。【選択図】図２８
2014012155.tif 000002
【特許請求の範囲】
【請求項１】
遊技機に設けられる取付ベース部材と、
前記取付ベース部材よりも小形な被取付部材と、
前記被取付部材を前記取付ベース部材に固定する固定部材と、を備え、
前記固定部材は、
軸部と、
前記軸部の一端に設けられ、前記軸部側方に突出形成される係合片と、
前記軸部の他端に設けられ、前記係合片を回動させるための操作部と、を備え、
前記被取付部材は、
前記操作部が摺動可能な摺動壁と、
前記摺動壁に形成され、前記固定部材の前記軸部を回動可能に支持する軸受部と、
前記軸受部の先端から前記係合片に向かって突出形成され、前記係合片の回動位置に応じて、前記係合片に前記操作部側から当接可能な当接部と、を備え、
前記取付ベース部材は、
当接状態の前記係合片及び前記当接部を挿通可能な挿通孔を有し、該挿通孔に挿通された前記係合片の回動位置に応じて、前記係合片と係合可能な係合受部を備える、ことを特徴とする遊技機。
【請求項２】
前記係合片と前記係合受部との係合が解除される前記係合片の回動位置を第１位置とし、前記係合片と前記係合受部とが係合する前記係合片の回動位置を第２位置とした場合に、
前記当接部は、前記係合片が前記第１位置にある場合に前記係合片と当接するように形成され、
前記挿通孔は、前記係合片が前記第１位置にある場合にのみ前記係合片の挿通を許容するように形成され、
前記係合受部は、前記挿通孔を通過した前記係合片が前記第１位置から前記第２位置に変換されて前記当接部から外れる位置に移動した時に、前記係合片と係合するように形成されることを特徴とする請求項１に記載の遊技機。
【請求項３】
前記当接部は、前記軸受部の先端から前記軸部に沿って突出形成された突起であることを特徴とする請求項２に記載の遊技機。
【請求項４】
前記係合片は、前記軸部の周方向における幅が前記軸部の直径よりも狭く設定されており、
前記軸受部は、前記係合片が前記第２位置にある場合に、前記係合片が通過可能な通過溝を備えることを特徴とする請求項３に記載の遊技機。
【請求項５】
前記取付ベース部材は、前記係合受部を有するベース壁を備え、
前記係合受部は、前記係合片との係合時に、前記係合片が前記ベース壁から突出しないように窪んだ状態で形成されることを特徴とする請求項４に記載の遊技機。
【請求項６】
前記操作部は、前記軸部の軸心からずれた位置に重心が設定されており、前記係合片が第２位置にある場合に前記操作部の重心が前記軸部の軸心の直下に位置するように形成されることを特徴とする請求項５に記載の遊技機。
【請求項７】
前記被取付部材は、
前記摺動壁、前記軸受部、及び前記当接部を有する第１被取付部材と、
前記第１被取付部材と前記取付ベース部材との間に配置され、前記第１被取付部材との間に所定の空間部を形成する第２被取付部材と、を備え、
前記第２被取付部材は、前記係合片及び前記当接部を挿通させる挿通部を備え、前記挿通部を介して前記挿通孔に挿通された前記係合片が前記第１位置から前記第２位置に変換されて前記係合片が前記係合受部と係合した時に、前記第１被取付部材と前記取付ベース部材との間で挟持されることを特徴とする請求項６に記載の遊技機。
【請求項８】
前記挿通部は、前記係合片が前記第１位置にある場合にのみ前記係合片の挿通を許容するように形成されていることを特徴とする請求項７に記載の遊技機。
【発明の詳細な説明】
【技術分野】
【０００１】
本発明は、遊技球を用いる遊技機に関する。
【背景技術】
【０００２】
従来の遊技機、例えばパチンコ遊技機やスロットマシン等においては、本体枠や筐体のような比較的大形な部材からなる取付ベース部材と、遊技機構成部材のような取付ベース部材よりも小形な被取付部材とを備え、被取付部材のメンテナンスや破損等による交換を想定して、取付ベース部材に対して被取付部材を着脱可能に取り付けるような手法を採用しているものがある。
【０００３】
このような取付手法の一例として、被取付部材と係合する係合状態と、係合を解除する係合解除状態とに変換可能な固定部材を取付ベース部材に配設し、取付ベース部材に被取付部材を当接させた状態で固定部材を係合解除状態から係合状態に変換することで、被取付部材を取付ベース部材に対して固定するようにした手法が知られている（例えば、特許文献１及び特許文献２）。
【先行技術文献】
【特許文献】
【０００４】
【特許文献１】特開２００５−１９２５８９号公報
【特許文献２】特開２００８−１６８０１８号公報
【発明の概要】
【発明が解決しようとする課題】
【０００５】
ところで、特許文献１や特許文献２に記載の遊技機のように取付ベース部材に対して固定部材を取り付ける場合には、被取付部材に比べて取付ベース部材が大形であるため、取付ベース部材よりも広い作業スペースを確保した上で取付作業をしなければならない。特に、複数の固定部材を離れた位置に取り付ける場合には、取付ベース部材を動かしながら取付作業を行うため、取付ベース部材の取り回しに手間が掛かるという問題がある。
【０００６】
また、固定部材は取付ベース部材から突出しているので、取付ベース部材に被取付部材を固定する固定作業時に固定部材を被取付部材等にぶつけたりして、固定部材が破損するおそれがある。
【０００７】
そこで、本発明は上記した問題点に鑑みてなされたものであり、固定部材の取付作業性を向上させるとともに、固定部材の破損を抑制することが可能な遊技機を提供することを目的とする。
【課題を解決するための手段】
【０００８】
第１の発明は、遊技機に設けられる取付ベース部材と、前記取付ベース部材よりも小形な被取付部材と、前記被取付部材を前記取付ベース部材に固定する固定部材と、を備え、前記固定部材は、軸部と、前記軸部の一端に設けられ、前記軸部側方に突出形成される係合片と、前記軸部の他端に設けられ、前記係合片を回動させるための操作部と、を備え、前記被取付部材は、前記操作部が摺動可能な摺動壁と、前記摺動壁に形成され、前記固定部材の前記軸部を回動可能に支持する軸受部と、前記軸受部の先端から前記係合片に向かって突出形成され、前記係合片の回動位置に応じて、前記係合片に前記操作部側から当接可能な当接部と、を備え、前記取付ベース部材は、当接状態の前記係合片及び前記当接部を挿通可能な挿通孔を有し、該挿通孔に挿通された前記係合片の回動位置に応じて、前記
係合片と係合可能な係合受部を備える、ことを特徴とする。
【０００９】
第２の発明は、前記係合片と前記係合受部との係合が解除される前記係合片の回動位置を第１位置とし、前記係合片と前記係合受部とが係合する前記係合片の回動位置を第２位置とした場合に、前記当接部は、前記係合片が前記第１位置にある場合に前記係合片と当接するように形成され、前記挿通孔は、前記係合片が前記第１位置にある場合にのみ前記係合片の挿通を許容するように形成され、前記係合受部は、前記挿通孔を通過した前記係合片が前記第１位置から前記第２位置に変換されて前記当接部から外れる位置に移動した時に、前記係合片と係合するように形成されることを特徴とする。
【００１０】
第３の発明は、前記当接部は、前記軸受部の先端から前記軸部に沿って突出形成された突起であることを特徴とする。
【００１１】
第４の発明は、前記係合片は、前記軸部の周方向における幅が前記軸部の直径よりも狭く設定されており、前記軸受部は、前記係合片が前記第２位置にある場合に、前記係合片が通過可能な通過溝を備えることを特徴とする。
【００１２】
第５の発明は、前記取付ベース部材は、前記係合受部を有するベース壁を備え、前記係合受部は、前記係合片との係合時に、前記係合片が前記ベース壁から突出しないように窪んだ状態で形成されることを特徴とする。
【００１３】
第６の発明は、前記操作部は、前記軸部の軸心からずれた位置に重心が設定されており、前記係合片が第２位置にある場合に前記操作部の重心が前記軸部の軸心の直下に位置するように形成されることを特徴とする。
【００１４】
第７の発明は、前記被取付部材は、前記摺動壁、前記軸受部、及び前記当接部を有する第１被取付部材と、前記第１被取付部材と前記取付ベース部材との間に配置され、前記第１被取付部材との間に所定の空間部を形成する第２被取付部材と、を備え、前記第２被取付部材は、前記係合片及び前記当接部を挿通させる挿通部を備え、前記挿通部を介して前記挿通孔に挿通された前記係合片が前記第１位置から前記第２位置に変換されて前記係合片が前記係合受部と係合した時に、前記第１被取付部材と前記取付ベース部材との間で挟持されることを特徴とする。
【００１５】
第８の発明は、前記挿通部は、前記係合片が前記第１位置にある場合にのみ前記係合片の挿通を許容するように形成されている。
【発明の効果】
【００１６】
第１の発明によれば、小形の被取付部材側から固定部材を取り付け、被取付部材に対して摺動する固定部材の操作部と取付ベース部材の係合受部と係合する固定部材の係合片とによって、取付ベース部材に被取付部材を固定する。このように取り回しが容易な小形の被取付部材に固定部材を配設したので、固定部材の取付作業を改善することが可能となる。また、固定部材の係合片は、被取付部材の軸受部に形成された当接部と当接した状態で、取付ベース部材の挿通孔に挿通されるので、挿通時に係合片が挿通孔等と衝突しても係合片の破損が抑制される。
【００１７】
第２の発明によれば、係合片が第１位置にある場合に係合片と当接部とが当接するので、係合片を取付ベース部材の挿通孔を挿通可能な状態に維持することができ、固定部材が配設された被取付部材を取付ベース部材に取り付ける取付作業が簡便となる。
【００１８】
第３の発明によれば、当接部は軸受部の先端から固定部材の軸部に沿って突出形成され
た突起であるので、被取付部材の固定作業時等における固定部材の軸部の破損を抑制することができる。
【００１９】
第４の発明によれば、固定部材の軸部を被取付部材の軸受部によって確実に支持でき、さらに固定部材が被取付部材に対して着脱可能となる。
【００２０】
第５の発明によれば、取付ベース部材の係合受部はベース壁に窪んだ状態で形成されるので、固定部材の係合片と係合受部の係合時に、係合片がベース壁から突出することがない。したがって、固定部材の係合片が他の部材等と衝突し難くなるので、係合片の破損が抑制される。
【００２１】
第６の発明によれば、固定部材の操作部は係合片が第２位置にある場合に操作部の重心が軸部の軸心の直下に位置するように形成されているので、操作部に振動等が加わっても、係合片が第２位置から変化することがなく、固定部材の係合片と取付ベース部材の係合受部との係合状態を維持させることが可能となる。
【００２２】
第７の発明よれば、被取付部材は第１被取付部材と第２被取付部材とから構成されており、第２被取付部材は固定部材の係合片が取付ベース部材の係合受部と係合する時に第１被取付部材と取付ベース部材との間で挟持されるので、第２被取付部材を取付ベース部材に容易に固定することができる。
【００２３】
第８の発明によれば、第２被取付部材の挿通部は係合片が第１位置にある場合にのみ係合片の挿通を許容するように形成されるので、第１被取付部材と第２被取付部材の組付け後に固定部材の係合片を第１位置から第２位置に変換させることで、固定部材によって第１被取付部材と第２被取付部材とを仮止めすることが可能となる。
【図面の簡単な説明】
【００２４】
【図１】本発明における遊技機の斜視図である。
【図２】遊技機の遊技盤の斜視図である。
【図３】遊技機の裏面図である。
【図４】前面枠の前方斜視図である
【図５】貯留ユニット及び払出ユニットの後方斜視図である。
【図６】貯留ユニットの分解斜視図である。
【図７】貯留ユニットの平面図である。
【図８】貯留ユニットに設けられる整列流路の下流端部の縦断面図である。
【図９】（Ａ）は遊技盤と貯留ユニットの関係を説明する図であり、（Ｂ）は（Ａ）の破線領域の拡大図である。
【図１０】（Ａ）は整列流路の前方斜視図であり、（Ｂ）は払出ユニット設置前の整列流路の縦断面図である。
【図１１】払出ユニット設置後の整列流路の縦断面図である。
【図１２】貯留ユニットに設置される外部情報ユニットの後方斜視図である。
【図１３】（Ａ）及び（Ｂ）は、外部情報ユニットの横断面図及び縦断面図である。
【図１４】（Ａ）及び（Ｂ）は、外部情報ユニット設置位置における遊技機の後方斜視図及び縦断面図である。
【図１５】（Ａ）及び（Ｂ）は、払出ユニットの後方斜視図及び前方斜視図である。
【図１６】払出ユニットの分解斜視図である。
【図１７】払出ユニットの第１ケース部材の上部前面図である。
【図１８】（Ａ）は払出ユニットの第１ケース部材の下部前面図であり、（Ｂ）は払出ユニットの下部の縦断面図である。
【図１９】通路切換機構近傍の払出ユニットの側面図である。
【図２０】（Ａ）は払出装置の分解斜視図であり、（Ｂ）は第２ケース部材に設置された払出装置の後方斜視図である。
【図２１】（Ａ）は払出ユニットの待機通路に沿った縦断面の斜視図であり、（Ｂ）は払出ユニットの待機通路に沿った縦断面図である。
【図２２】（Ａ）及び（Ｂ）は、払出ユニットを前面枠に設置した時の払出装置の後方斜視図及び横断面図である。
【図２３】（Ａ）及び（Ｂ）は、払出ユニットの上部の後方斜視図及び前方斜視図である。
【図２４】（Ａ）は固定部材の係合片が第１位置にある状態を示す図であり、（Ｂ）は固定部材の係合片が第２位置にある状態を示す図である。
【図２５】（Ａ）及び（Ｂ）は、第２ケース部材に第１ケース部材を設置した時の払出ユニットの上部の前方斜視図及び縦断面図である。
【図２６】（Ａ）及び（Ｂ）は、前面枠の上部の後方斜視図及び前方斜視図である。
【図２７】払出ユニットと前面枠の後方斜視図である。
【図２８】（Ａ）及び（Ｂ）は、前面枠に払出ユニットを設置した時の払出ユニットの縦断面図及び横断面図である。
【図２９】遊技盤の後方斜視図である。
【図３０】保護カバーの一側部分を拡大した遊技盤の後方斜視図である。
【図３１】保護カバーの他側部分を拡大した遊技盤の後方斜視図である。
【図３２】（Ａ）及び（Ｂ）は、係合部近傍の保護カバーの後方斜視図及び横断面図である。
【図３３】遊技盤の横断面図である。
【図３４】（Ａ）は遊技盤及び払出ユニットが設置された前面枠の裏面図であり、（Ｂ）は保護カバーの係合部と払出ユニットの待機通路との関係を説明する図である。
【発明を実施するための形態】
【００２５】
以下、図面を参照して、本発明の実施形態について説明する。なお、本発明の実施形態の説明における前後左右とは、遊技盤に向かって見た方向（遊技者から見た方向）を指すものとする。
【００２６】
図１を参照して、本発明の実施形態における遊技機１について説明する。図１は、遊技機１の斜視図である。
【００２７】
遊技機１は、島設備に固定される本体枠２にヒンジ３を介して右側部が開閉回動自在に取り付けられる開閉枠４を備える。開閉枠４は、前面枠５及びガラス枠６によって構成される。
【００２８】
前面枠５には、遊技領域２１を有する遊技盤２０（図２参照）が配設される。前面枠５には、遊技盤２０の前面を覆うカバーガラス６ａを備えたガラス枠６が取り付けられる。前面枠５及びガラス枠６は、それぞれ個別に開放することが可能となっている。
【００２９】
ガラス枠６のカバーガラス６ａの周囲には、装飾部材７が配設されている。装飾部材７の内部にはランプやＬＥＤ等によって構成された枠装飾装置が収容されており、枠装飾装置を制御することによって装飾部材７における発光状態を調整することができる。
【００３０】
ガラス枠６の上部には照明ユニット８が配設され、照明ユニット８の左右両側には可動式照明９が配設される。照明ユニット８は、内部にランプやＬＥＤ等の照明部材を収容しており、遊技状態に応じて発光演出を行う。可動式照明９は、ランプやＬＥＤ等の照明部材と、照明部材を駆動する照明駆動モータ等から構成される枠演出装置とを備える。可動式照明９の枠演出装置は、遊技状態に応じて照明部材を駆動（例えば回転駆動）するよう
に制御される。
【００３１】
遊技機１は、効果音や警報音、報知音等を発する上スピーカー１０ａ及び下スピーカー１０ｂを備える。上スピーカー１０ａはガラス枠６の上両側部に配置され、下スピーカー１０ｂは上皿ユニット１１を構成する上皿１１ａの下方に配置される。上皿１１ａは、前面枠５に設けられた球発射装置（図示省略）に遊技球を供給する。
【００３２】
ガラス枠６の下方位置であって前面枠５に固定される固定パネル１２には、下皿１３及び球発射装置を駆動するための操作部１４が備えられる。遊技者が操作部１４を回動操作することによって、球発射装置は上皿１１ａから供給された遊技球を遊技盤２０の遊技領域２１（図２参照）に発射する。下皿１３には、下皿１３に貯まった遊技球を排出するための球抜き機構１５が設けられる。
【００３３】
上皿ユニット１１には、遊技者からの操作入力を受け付けるための演出ボタン１６が上皿１１ａの手前側に配設されている。遊技者が演出ボタン１６を操作することによって、変動表示装置２５（図２参照）での変動表示ゲームに遊技者の操作を介入させた演出を行うことができ、通常遊技状態においても演出パターンを変更することができる。
【００３４】
ガラス枠６の下部中央には、遊技者が遊技球を借りる場合に操作する球貸ボタン１７と、カードユニット（図示省略）からプリペイドカードを排出させるために操作される排出ボタン１８とが配設される。
【００３５】
図２を参照して、遊技機１に配設される遊技盤２０について説明する。図２は、遊技機１の遊技盤２０の斜視図である。
【００３６】
遊技盤２０は、合板やプラスチック等からなる矩形状の遊技盤本体２２の表面に、区画部材としてのガイドレール２３を設けることで、略円形状の遊技領域２１を区画形成している。
【００３７】
遊技領域２１には、開口部２４ａを有するセンターケース（前面構成部材）２４が配設される。遊技盤２０にはセンターケース（前面構成部材）２４の外周に沿った形状の開口が形成され、センターケース（前面構成部材）２４はその開口に遊技盤２０の前方から嵌装される。
【００３８】
遊技盤２０の裏面には、複数の識別情報を変動表示する変動表示ゲームを表示可能な表示部２５ａを有する変動表示装置２５が制御ベース（裏面構成部材）３３を介して配設される。制御ベース（裏面構成部材）３３には、動作演出や発光演出を行う側部演出ユニット３４等が配設され、センターケース（前面構成部材）２４の裏面側を覆うように構成されている。
【００３９】
変動表示装置２５は、その表示部２５ａがセンターケース２４の開口部２４ａに臨むように配設される。変動表示装置２５の表示部２５ａは任意の画像を表示可能な液晶表示器であり、表示画面上には複数の識別情報（特別図柄）や変動表示ゲームを演出するキャラクタ等、遊技の進行に基づく画像が表示される。例えば、変動表示装置２５は、表示部２５ａに複数の変動表示領域（例えば、左側、中央、右側の３つの可変表示領域等）を設定して各表示領域の各々で独立した画像を表示する。
【００４０】
遊技領域２１の下部中央には、遊技球の入賞に基づき特別図柄（特図）変動表示ゲームの始動条件を付与可能な始動入賞口２６が配設される。始動入賞口２６は、遊技球が入賞した場合に第１特図変動表示ゲームが行われる第１始動入賞口２６ａと、遊技球が入賞し
た場合に第２特図変動表示ゲームが行われる第２始動入賞口２６ｂとを備える。
【００４１】
第２始動入賞口２６ｂは、第１始動入賞口２６ａの直下方に配設されており、左右一対の開閉部材２６ｃを備えている。開閉部材２６ｃは、通常状態においては、遊技球の直径程度の間隔をおいて閉じた状態（遊技者にとって不利な状態）を保持している。普図変動表示ゲームの結果が所定の停止表示態様となった場合（普図変動表示ゲームが当りとなった場合）には、駆動装置としての普電ソレノイドによって先端が開くように開閉部材２６ｃが回動され、第２始動入賞口２６ｂに遊技球が流入し易い状態（遊技者にとって有利な状態）となる。
【００４２】
遊技領域２１における第２始動入賞口２６ｂの下方には、遊技状態に応じて遊技球を受け入れない状態と受け入れ易い状態とに変換可能な大入賞口２７が配設される。また、遊技領域２１におけるセンターケース２４の左側方には、遊技球が通過した場合に普通図柄（普図）変動表示ゲームが行われる普図始動ゲート２８が配設される。さらに、遊技領域２１における始動入賞口２６の両側方には、遊技球が入賞した場合に賞球を払い出す条件だけが成立する一般入賞口２９が複数配設される。これらの他に遊技領域２１には、遊技球の落下方向を変える風車（図示省略）や釘（図示省略）等の方向変換部材や、入賞せずに流下した遊技球を回収するアウト口３０が配設される。
【００４３】
遊技盤２０の右下部には、特図変動表示ゲームの特図の変動表示、特図入賞記憶数（始動記憶数）、普図変動表示ゲームの普図の変動表示、普図入賞記憶数、及び大当たりの決定ラウンド数を表示する状態表示器３１が配設される。
【００４４】
上記のように構成される遊技機１では、球発射装置（図示省略）によって打ち出された遊技球は、ガイドレール２３の内周壁に沿って区画された発射球案内通路３２を通って遊技領域２１に発射され、方向変換部材（図示省略）によって落下方向を変えながら遊技領域２１内を流下する。遊技領域２１内を流下した遊技球は、始動入賞口２６、一般入賞口２９、大入賞口２７に入賞するか、アウト口３０から排出される。
【００４５】
図３及び図４を参照して、遊技機１の裏面側の構成について説明する。図３は、遊技機１の裏面図である。図４は、前面枠５の前方斜視図である。
【００４６】
図３及び図４に示すように、本体枠２に対して開閉可能に設置される前面枠５は、遊技盤２０を前方から着脱可能に収納する収納部５ａと、遊技盤２０の裏面に配設される各種部材を後方に露出させるための矩形状の開口部５ｂとを備える。
【００４７】
遊技盤２０の裏面には、スイッチベース３８を介して遊技を統括的に制御する遊技制御装置３５が配設され、スイッチベース３８の上方の制御ベース３３を介して遊技制御装置３５から送信される演出制御指令に基づいて変動表示装置２５（図２参照）等を制御する演出制御装置３６が配設される。演出制御装置３６の後方には、演出制御装置３６の裏面及び遊技制御装置３５の裏面上部を覆う保護カバー３７が設けられる。このように構成された遊技盤２０が前面枠５の収納部５ａに収納された状態では、遊技盤２０の裏面に配設された保護カバー３７及び遊技制御装置３５は、開口部５ｂを介して前面枠５の後方に突出する。
【００４８】
前面枠５の裏面上部には、島設備に設けられた補給装置（図示省略）から補給される遊技球を貯留するとともに、貯留した遊技球を整列させて流下させる貯留ユニット５０が配設される。貯留ユニット５０は、両側部に形成された取付部５１を介して前面枠５に固定されている。
【００４９】
前面枠５の一方の内側部（図４において左側）には上下方向に亘って取付壁５ｃが形成されており、この取付壁５ｃの裏面に、貯留ユニット５０から流下してきた遊技球を上皿１１ａ（図１参照）に払い出す払出ユニット９０が配設される。
【００５０】
また、前面枠５の裏面下部には、遊技制御装置３５から送信されるデータに基づいて払出ユニット９０の動作を制御する払出制御装置４１と、操作部１４（図１参照）の回動操作に基づいて遊技球を発射する球発射装置４２と、カードユニット（図示省略）と接続する接続端子４３と、各種装置に電力を供給する電源装置４４とが配設される。
【００５１】
次に、図５〜図９を参照して、前面枠５の裏面上部に配設される貯留ユニット５０について説明する。
【００５２】
図５は貯留ユニット５０及び払出ユニット９０の後方斜視図であり、図６は貯留ユニット５０の分解斜視図である。図７は、貯留ユニット５０の平面図である。図８は、貯留ユニット５０に設けられる整列流路７０の下流端部の縦断面図である。図９（Ａ）は遊技盤２０と貯留ユニット５０の関係を説明する図であり、図９（Ｂ）は図９（Ａ）の破線領域の拡大図である。
【００５３】
図５及び図６に示すように、貯留ユニット５０は、島設備の補給装置（図示省略）から補給される遊技球を貯留する貯留タンク６０と、貯留タンク６０に蓄えられた遊技球を整列して流下させる整列流路７０とを備える。整列流路７０を通過した遊技球は、整列流路７０の下流端から下方に延設された払出ユニット９０内に流下する。また、整列流路７０の裏面には、遊技の進行に基づいて生成される遊技情報を外部の装置に出力するための外部情報ユニット８０が取り付けられる。
【００５４】
図６及び図７に示すように、貯留タンク６０は上部が開口した有底箱状部材であって、遊技球を貯留する第１貯留部６１と、第１貯留部６１の上部において前方に突出形成される段差部６２と、第１貯留部６１の後部に設けられる第２貯留部６３と、を備える。
【００５５】
第２貯留部６３は、第１貯留部６１の後側に連設されている。第２貯留部６３の底部６３ａは第１貯留部６１の底部６１ａよりも低く設定されており、これにより第２貯留部６３の下部は溝部６３ｂとして形成される（図９（Ａ）参照）。第２貯留部６３の溝部６３ｂは、１つの遊技球が流下可能な溝幅に設定されている。第２貯留部６３の一側部、つまり下流端部には、溝部６３ｂと連通する整列流路７０が設けられる。
【００５６】
図７に示すように、段差部６２は水平方向に延設されており、段差部６２の底部６２ａは第１貯留部６１に向けて（図７の下方向に）下り傾斜している。第１貯留部６１の底部６１ａは、第２貯留部６３に向けて（図７の下方向に）下り傾斜するとともに、整列流路７０に向けて（図７の右方向に）下り傾斜している。第２貯留部６３の底部６３ａは、整列流路７０に向けて（図７の右方向に）下り傾斜している。
【００５７】
したがって、貯留タンク６０に蓄えられた遊技球は、自重によって貯留タンク６０から整列流路７０に向かって流下する。なお、貯留タンク６０内の遊技球が整列流路７０に流入する時に整列流路７０の入口部分で球詰まりが生じることがあるが、本実施形態では第２貯留部６３の溝部６３ｂを介して遊技球を整列流路７０の入口部分に誘導するので、整列流路７０の入口部分における球詰まりの発生を抑制できる。
【００５８】
図９（Ａ）に示すように、貯留タンク６０は、前面枠５の裏面上部に配設される。貯留タンク６０は第１貯留部６１の上部から前方に突出する段差部６２を備えるので、図９（Ｂ）に示すように前面枠５の前面に配置される遊技盤２０と第１貯留部６１の下部との間
に離隔空間Ｓ１が形成される。これにより、遊技盤２０の上部後方における役物配置スペースを拡大することができる。また、貯留タンク６０は、第１貯留部６１、段差部６２、及び第２貯留部６３を備え、貯留タンク６０の上部開口をできる限り広くしたので補給装置からの遊技球を受け入れやすく、遊技球の貯留量も確保することができる。
【００５９】
図６及び図７に示すように、整列流路７０は、第２貯留部６３の一側部、つまり下流端部から左右方向に直線的に延設される上流流路７１と、上流流路７１の下流端に接続され、前方に向けて折り返すように湾曲する湾曲流路７２と、湾曲流路７２の下流端に接続され、上流流路７１と平行に延設される下流流路７３とを備える。
【００６０】
上流流路７１、湾曲流路７２、及び下流流路７３は、１つの遊技球が流下可能な溝幅にそれぞれ設定されている。
【００６１】
下流流路７３は、貯留タンク６０の段差部６２よりも後方に位置するように設けられる。そのため貯留ユニット５０を前面枠５に配設した場合には、前面枠５に設置される遊技盤２０と下流流路７３との間に離隔空間Ｓ２が形成される（図４参照）。したがって、貯留タンク６０の一側部に整列流路７０を配設しても、遊技盤２０の上部後方における役物配置スペースを拡大することができる。
【００６２】
また、下流流路７３の下流底面には、遊技球を下流流路７３の下方に設けられた払出ユニット９０内に流下させる流出口７４が形成されている。下流流路７３の下流端部には、流下してきた遊技球を流出口７４に誘導するための球ならし部材７５が設置される。
【００６３】
図６及び図８に示すように、球ならし部材７５は、遊技球を流出口７４に向けて誘導する誘導部７５ａと、誘導部７５ａを移動（揺動）可能に支持する支持部７５ｂとを備える。
【００６４】
誘導部７５ａは、下流流路７３の下流底面から流出口７４の上方を覆う円弧状のガイド面７５ｃを有する板部材である。
【００６５】
支持部７５ｂは、縦断面が略Ｕ字状に形成された板ばね部材である。支持部７５ｂの先端部には誘導部７５ａが設置され、支持部７５ｂの後端は下流流路７３の下流端部に固定される。支持部７５ｂは、誘導部７５ａが受ける遊技球からの球圧に応じて可動するように構成されている。つまり、遊技球の球圧が増加した場合には誘導部７５ａが初期位置から遊技球流下方向に移動するように支持部７５ｂの先端が後端側に接近し、遊技球の球圧が低下した場合には誘導部７５ａが初期位置に戻るように支持部７５ｂの先端が後端側から離間する。
【００６６】
また、誘導部７５ａの上端面７５ｄは、支持部７５ｂを介して誘導部７５ａが移動しても、常に下流流路７３に向かって下り傾斜するように形成されている。
【００６７】
貯留タンク６０内の遊技球は、上流流路７１、湾曲流路７２、及び下流流路７３を流下し、流出口７４を介して払出ユニット９０内に流入する。整列流路７０の各流路７１〜７３は１つの遊技球が流下可能な溝幅にそれぞれ設定されているが、整列流路７０内において遊技球は上下に重なりながら流下することがある。しかしながら、球ならし部材７５の誘導部７５ａのガイド面７５ｃが、上下に重なりながら流下してきた遊技球をならして、遊技球を１つずつ流出口７４に誘導するので、流出口７４の近傍で球詰まりが生じることがない。したがって、下流流路７３を流下してきた遊技球は、スムーズに流出口７４を通過して払出ユニット９０内に流入する。
【００６８】
球ならし部材７５の誘導部７５ａは支持部７５ｂによって移動（揺動）可能に支持されており、遊技球の球圧が増加した場合には誘導部７５ａが初期位置から遊技球流下方向に移動するので、下流流路７３を流下してくる遊技球の数が増加しても、遊技球をスムーズに流出口７４に誘導することができる。
【００６９】
球ならし部材７５の誘導部７５ａが移動した場合においても、誘導部７５ａの上端面７５ｄは常に下流流路７３に向かって下り傾斜している。そのため下流流路７３を流下してきた遊技球が誘導部７５ａの上端面７５ｄに乗り上げても、乗り上げた遊技球は下流流路７３に落下するので、球ならし部材７５の後側での遊技球の滞留を防止することができる。
【００７０】
また、上記した整列流路７０は、図６に示すように、遊技球の流下を規制する流下規制部材７６を備える。この流下規制部材７６について、図１０及び図１１を参照して説明する。
【００７１】
図１０（Ａ）は整列流路７０の前方斜視図であり、図１０（Ｂ）は払出ユニット９０設置前の整列流路７０の縦断面図である。図１１は、払出ユニット９０設置後の整列流路７０の縦断面図である。
【００７２】
図１０（Ａ）及び図１０（Ｂ）に示すように、流下規制部材７６は、整列流路７０の下流流路７３の前面に突出形成された取付部７７に取り付けられる。流下規制部材７６は、取付部７７の下面に取り付けられる略Ｌ字状のベース部７６ａと、ベース部７６ａの下端から水平に延設される規制部７６ｂと、規制部７６ｂから下方に延設される押圧受部７６ｃと、を備える。
【００７３】
ベース部７６ａは板ばね部材であって、ベース部７６ａの上端部には取付部７７に形成された位置決め用突起７９と係合する位置決め孔７６ｄが形成される。ベース部７６ａは、位置決め孔７６ｄによって位置決めされた状態で、ねじ７８によって取付部７７に固定される。
【００７４】
ベース部７６ａは取付部７７の下面及び下流流路７３の前面に沿って配設され、ベース部７６ａの下端は下流流路７３の流出口７４よりも僅かに下方に位置する。そのため、ベース部７６ａの下端に設けられた規制部７６ｂは、図１０（Ｂ）に示すように流出口７４の一部を閉塞するように流出口７４側に突出する。
【００７５】
このように貯留ユニット５０が前面枠５に配設されていない場合には、規制部７６ｂによって流出口７４の一部が閉塞されるので、流出口７４からの遊技球の流下が規制される。したがって、貯留ユニット５０を前面枠５から取り外した時に貯留ユニット５０内に遊技球が残っていても、流出口７４から遊技球がこぼれ落ちることがない。
【００７６】
一方、図１１に示すように、貯留ユニット５０が前面枠５に設置された後に払出ユニット９０が前面枠５に取り付けられると、払出ユニット９０の上端部が流下規制部材７６の押圧受部７６ｃを前方に押圧する。払出ユニット９０の上端は下流流路７３の流出口７４の下端との間で遊技球の直径よりも小さな隙間を形成するように構成されているので、払出ユニット９０が押圧受部７６ｃを前方に押圧すると、流下規制部材７６の規制部７６ｂが払出ユニット９０の上端と流出口７４の下端との間の隙間内に退避する。したがって、貯留ユニット５０の下方に払出ユニット９０が取り付けられた場合には、流下規制部材７６の規制部７６ｂによる遊技球の流下規制が解除され、貯留ユニット５０内の遊技球は下流流路７３の流出口７４を介して払出ユニット９０内に流下可能となる。
【００７７】
次に、図６、図１２〜図１４を参照して、貯留ユニット５０の裏面に配設される外部情報ユニット８０について説明する。
【００７８】
図１２は、貯留ユニット５０に設置される外部情報ユニット８０の後方斜視図である。図１３（Ａ）及び図１３（Ｂ）は、外部情報ユニット８０の横断面図及び縦断面図である。図１４（Ａ）及び図１４（Ｂ）は、外部情報ユニット８０設置位置における遊技機１の後方斜視図及び縦断面図である。
【００７９】
図６及び図１２に示すように、外部情報ユニット８０は、遊技情報を外部の装置に出力する装置であって、下カバー８１と、下カバー８１上に配設される基板８２と、基板８２を覆うように下カバー８１に取り付けられる上カバー８３と、を備える。
【００８０】
下カバー８１は矩形状の枠体であって、下カバー８１の上部及び下部には上カバー８３と係合可能な係合受部８１ａが形成されている。この下カバー８１には、基板８２が固定される。
【００８１】
基板８２は遊技情報を外部装置に出力する出力基板であって、基板表面には外部装置と接続可能な接続端子８２ａが複数設けられている（図１３（Ｂ）参照）。
【００８２】
上カバー８３は、矩形状の枠体であって、基板８２の一部を露出させる開口部８３ａと、下カバー８１の係合受部８１ａと係合可能な係合突起８３ｂとを備える。
【００８３】
上カバー８３の開口部８３ａを介して、基板８２の接続端子８２ａは遊技場に設置される外部装置（情報収集端末装置等）と接続可能となっている。上カバー８３の下部には、後方に向かって膨出する膨出部８３ｃが形成されている。上カバー８３の膨出部８３ｃの下面は、水平面として形成されている（図１３（Ｂ）参照）。
【００８４】
上カバー８３の係合突起８３ｂは下カバー８１の係合受部８１ａと対応する位置に設けられており、係合突起８３ｂと係合受部８１ａが係合することによって、上カバー８３は下カバー８１に固定される。
【００８５】
上記した下カバー８１、基板８２、及び上カバー８３によって構成される外部情報ユニット８０は、図１２及び図１３に示すように、貯留ユニット５０の整列流路７０の裏面に取り付けられる。
【００８６】
図１２、図１３（Ａ）、及び図１３（Ｂ）を参照して、外部情報ユニット８０の取付機構について説明する。
【００８７】
図１２に示すように、外部情報ユニット８０の上カバー８３の両側部には、上下方向に亘って側方に突出する係合突起８３ｄが形成される。係合突起８３ｄよりも下方の上カバー８３の両側部には、上下方向に貫通する貫通孔を有するボス部８３ｅが形成されている。
【００８８】
貯留ユニット５０の裏面上部には、リブ５２が水平に突出形成されている。リブ５２は、貯留ユニット５０の剛性を補強する。
【００８９】
整列流路７０の裏面には、リブ５２から下方に延設され、上カバー８３の係合突起８３ｄが上下方向にスライド可能な状態で係合する一対の係合溝５３が設けられる。これら係合溝５３の下端部には、ねじ穴を有するねじ受部５４が形成される。ねじ受部５４は、貯留ユニット５０及び係合溝５３に一体形成されている。
【００９０】
図１３（Ａ）及び図１３（Ｂ）に示すように、外部情報ユニット８０は、上カバー８３の係合突起８３ｄを下方から係合溝５３に挿入して下カバー８１の上面がリブ５２の下面に当接した状態で、貯留ユニット５０の裏面に取り付けられる。リブ５２は、貯留ユニット５０の剛性を補強するだけでなく、外部情報ユニット８０の上方へのスライド移動を規制する規制部材としても機能する。このように係合突起８３ｄと係合溝５３が係合している状態では、上カバー８３のボス部８３ｅはねじ受部５４に下側から当接している（図１０（Ｂ）参照）。ねじ５５はボス部８３ｅの貫通孔を介してねじ受部５４に螺合し、これにより外部情報ユニット８０は貯留ユニット５０に固定される。
【００９１】
外部情報ユニット８０が設置された貯留ユニット５０は、図１４（Ａ）及び図１４（Ｂ）に示すように前面枠５に取り付けられる。前面枠５に貯留ユニット５０が設置された状態では、貯留ユニット５０の下方に、遊技盤２０の裏面構成部材（制御ベース３３等）を覆う保護カバー３７が位置する。保護カバー３７の上端部は貯留ユニット５０の下面に沿うように形成されているが（図３参照）、外部情報ユニット８０の膨出部８３ｃと対向する位置の保護カバー３７の上端部は、膨出部８３ｃとの間に手差し用空間Ｓ３を形成するように膨出部８３ｃから離間して形成される。つまり、保護カバー３７の上端部は、外部情報ユニット８０と対向する部分に下方に窪む凹部を有している。
【００９２】
なお、保護カバー３７の上端縁には、図１４（Ｂ）に示すように、遊技機１の後方から遊技盤２０側への異物等の侵入を防止する起立壁３７ａが形成されている。
【００９３】
遊技機１を搬送する場合等には、貯留ユニット５０の裏面に配設された外部情報ユニット８０の下側に手を掛けて搬送することがある。本実施形態では、係合突起８３ｄと係合溝５３が係合し、外部情報ユニット８０がリブ５２に下側から当接した状態で、外部情報ユニット８０と貯留ユニット５０を固定しているので、外部情報ユニット８０の下側に手を掛けても、外部情報ユニット８０が貯留ユニット５０から外れる等の破損が発生し難くなる。
【００９４】
また、上カバー８３のボス部８３ｅを係合溝５３の下部のねじ受部５４に下側から当接させ、ボス部８３ｅの貫通孔を挿通したねじ５５をねじ受部５４に螺合させることで、外部情報ユニット８０を貯留ユニット５０に固定するので、外部情報ユニット８０は下側からの外力の入力に対してより強くなる。
【００９５】
さらに、外部情報ユニット８０の上カバー８３の下部には膨出部８３ｃが形成され、膨出部８３ｃと保護カバー３７との間には手差し用空間Ｓ３が形成されるので、外部情報ユニット８０の下側に手を掛けやすくなり、遊技機１の搬送時等に外部情報ユニット８０以外の部分に手を掛けて破損させてしまうことを回避することができる。
【００９６】
次に、図４、図１５〜図１９を参照して、払出ユニット９０について説明する。
【００９７】
図１５（Ａ）及び図１５（Ｂ）は、払出ユニット９０の後方斜視図及び前方斜視図である。図１６は、払出ユニット９０の分解斜視図である。図１７は、払出ユニット９０の第１ケース部材１００の上部前面図である。図１８（Ａ）は払出ユニット９０の第１ケース部材１００の下部前面図であり、図１８（Ｂ）は払出ユニット９０の下部の縦断面図である。図１９は、通路切換機構１６０近傍の払出ユニット９０の側面図である。
【００９８】
図４に示すように、払出ユニット９０は、貯留ユニット５０の整列流路７０から流下してきた遊技球を貯留し、貯留した遊技球を払出条件の成立に基づいて上皿１１ａ（図１参照）に払い出す装置である。払出ユニット９０は、固定部材３００を介して、前面枠５の
取付壁５ｃの裏面に固定される。
【００９９】
図１５（Ａ）、図１５（Ｂ）、及び図１６に示すように、払出ユニット９０は、第１ケース部材１００と、第１ケース部材１００と対向するように設けられる第２ケース部材２００と、第１ケース部材１００と第２ケース部材２００との間に形成される待機通路１２０と、待機通路１２０内の遊技球を払い出す払出装置１４０と、を備える。
【０１００】
第１ケース部材１００及び第２ケース部材２００は、樹脂材によって形成されている。特に、第１ケース部材１００は、払出ユニット９０の内部を視認可能なように透明樹脂材によって形成されている。第２ケース部材２００は前面枠５の取付壁５ｃ（図４参照）の裏面に配設され、第２ケース部材２００の裏面に第１ケース部材１００が取り付けられる。第１ケース部材１００及び第２ケース部材２００は、上下方向に亘ってケース壁１１０、２１０を備えている。第１ケース部材１００のケース壁１１０の前面には一対の仕切壁１１１が形成されており、第１ケース部材１００と第２ケース部材２００との間には、仕切壁１１１とケース壁１１０とケース壁２１０とによって待機通路１２０が形成される。
【０１０１】
図１７、図１８（Ａ）、及び図１８（Ｂ）に示すように、待機通路１２０は、第１ケース部材１００と第２ケース部材２００との間において上下方向に延設され、貯留ユニット５０の整列流路７０から供給された遊技球を蛇行させながら流下させる通路である。待機通路１２０は、整列流路７０の下流流路７３から流下してきた遊技球を遊技機１の後方に導く上部通路１２１と、上部通路１２１の下流端に接続して遊技球を左右方向に蛇行させながら流下させる中部通路１２２と、中部通路１２２の下流端に接続して遊技球を遊技機１の前方に導く下部通路１２３とを備える。下部通路１２３を通過した遊技球は、上皿１１ａ（図１参照）に遊技球を誘導する誘導通路（図示省略）に流入する。
【０１０２】
図１８（Ａ）及び図１８（Ｂ）に示すように、待機通路１２０の下部通路１２３には、払出条件の成立に基づいて遊技球を払い出す払出装置１４０が配設される。払出装置１４０は、回転体（スプロケット）１４１を駆動モータ１４２によって回転駆動することで、回転体（スプロケット）１４１よりも上方の待機通路１２０内に蓄えられている遊技球を１球ずつ払い出す装置である。払出装置１４０の詳細については、図２０〜図２２を参照して後述する。
【０１０３】
なお、払出装置１４０より下方の下部通路１２３には、遊技球の払い出しを検出する球検出センサ１２６が設置されている。
【０１０４】
図１７に示すように、上部通路１２１の側方のケース壁１１０には、待機通路１２０内に十分な遊技球が待機しているか否かを検出するため、ケース壁１１０の裏面に回動自在に支持される略扇状の遮光板１１２及び遮光板１１２の一部が通過可能な凹部を有するフォトセンサ１１３が設置されている。
【０１０５】
遮光板１１２は、フォトセンサ１１３の凹部に挿入されフォトセンサ１１３の発光部から発射された発射光がフォトセンサ１１３の受光部に届かないように遮る遮光部１１２ａと、遮光部１１２ａの一部を切欠くことで発射光を通過させる通光部１１２ｂと、遮光部１１２ａの端部に立設された受圧部１１２ｃとを備える。
【０１０６】
遮光板１１２の受圧部１１２ｃは、待機通路１２０内の遊技球の貯留数が不足している時に、上部通路１２１の一方の仕切壁１１１に形成された第１切欠部１１４を通じて、上部通路１２１内に位置するように形成されている。
【０１０７】
上部通路１２１内に遊技球が待機していない場合には、受圧部１１２ｃが第１切欠部１
１４を介して上部通路１２１内に突出するように遮光板１１２が回動し、遮光部１１２ａによってフォトセンサ１１３の発射光が遮光状態となる。
【０１０８】
これに対して、待機通路１２０の上部通路１２１まで遊技球が蓄えられている場合には、上部通路１２１内の遊技球によって受圧部１１２ｃが押され、受圧部１１３ｃが上部通路１２１内から外部に退避するように遮光板１１２が回動し、通光部１１２ｂによってフォトセンサ１１３の発射光が通光状態となる。なお、発射光通光状態では、遮光板１１２の遮光部１１２ａの端部がケース壁１１０に形成されたストッパ１１５に下側から当接することで遮光板１１２の回動が規制され、また遮光板１１２の受圧部１１２ｃが仕切壁１１１と面一となって第１切欠部１１４を閉止する。
【０１０９】
上記のようにフォトセンサ１１３の発射光の状態を検出することで、待機通路１２０内に十分な遊技球が待機しているか否かを判定することができる。待機通路１２０内に十分な遊技球が待機している場合（発射光通光時）には払出装置１４０の駆動モータ１４２の駆動が許可され、それ以外の場合（発射光遮光時）には駆動モータ１４２の駆動が禁止される。
【０１１０】
図１７に示すように、中部通路１２２は、流下する遊技球の流速を低減させるように左右方向に蛇行する通路である。このように蛇行させることで、中部通路１２２内で待機している遊技球の重量を仕切壁１１１によって分散させることができ、払出装置１４０の駆動モータ１４２に作用する負荷を低減できる。したがって、駆動モータ１４２の小形化を図ることが可能となる。
【０１１１】
中部通路１２２の側方には、第１ケース部材１００と第２ケース部材２００の間において上下方向に亘って球抜通路１２４（図１５（Ａ）参照）が形成される。球抜通路１２４は、中部通路１２２の湾曲部分から分岐するように形成され、貯留ユニット５０（図５参照）や払出ユニット９０内に蓄えられている遊技球を遊技機外の島設備に流下させる。中部通路１２２の湾曲部分には、流下する遊技球の通路を中部通路１２２又は球抜通路１２４に切り替える通路切換機構１６０が設けられる。
【０１１２】
図１６、図１７、及び図１９を参照して、通路切換機構１６０について説明する。
【０１１３】
図１６及び図１７に示すように、通路切換機構１６０は、遊技機１の交換時等に作業者によって操作されるものであって、第１ケース部材１００と第２ケース部材２００との間において前後動可能に配設される操作部１６１と、操作部１６１を付勢するバネ１６２と、第１ケース部材１００と第２ケース部材２００との間において回動自在に配設される切換部１６３とを備える。
【０１１４】
図１６及び図１９に示すように、操作部１６１の上部には、後方に突出する突起部１６１ａが形成される。操作部１６１の突起部１６１ａは、第１ケース部材１００のケース壁１１０に形成された縦孔部１１６を介して、ケース壁１１０よりも後方に突出する。操作部１６１は、縦孔部１１６を挿通する突起部１６１ａと、第２ケース部材２００のケース壁２１０の裏面に形成された支持軸２１１とによって、第１ケース部材１００と第２ケース部材２００との間で前後動可能に支持される。
【０１１５】
操作部１６１と第２ケース部材２００との間には、支持軸２１１を挿通可能なバネ１６２が配設される。バネ１６２は、操作部１６１を第１ケース部材１００側に付勢する。
【０１１６】
操作部１６１の下部には、後方に突出する規制片１６１ｂが形成される。規制片１６１ｂは、切換部１６３の回動（状態変換）を規制する。
【０１１７】
図１７及び図１９に示すように、切換部１６３は、操作部１６１よりも下方の第１ケース部材１００のケース壁１１０に回動自在に支持される。切換部１６３は、中部通路１２２内を流下する遊技球をガイドするガイド壁１６３ａと、前方に突出形成される突起１６３ｂと、を備える。
【０１１８】
中部通路１２２の湾曲部分における球抜通路１２４側の仕切壁１１１には第２切欠部１１７が形成されており、切換部１６３のガイド壁１６３ａは第２切欠部１１７を介して中部通路１２２内に臨むように配置される。ガイド壁１６３ａは、中部通路１２２を左右方向に流下してきた遊技球を下方にガイドする。
【０１１９】
切換部１６３の突起１６３ｂは、操作部１６１の規制片１６１ｂに下側から当接可能なように形成されている。
【０１２０】
操作部１６１が操作されていない通常時には、切換部１６３の突起１６３ｂは操作部１６１の規制片１６１ｂに下側から当接するようになっている。そのため、中部通路１２２の湾曲部分を流下する遊技球がガイド壁１６３ａと接触しても、切換部１６３の回動が禁止される。したがって、湾曲部分を通過する遊技球は、切換部１６３のガイド壁１６３ａによって下方にガイドされ、中部通路１２２の下流に向かって流下する。
【０１２１】
これに対して、遊技機１の交換時等には、操作部１６１の突起部１６１ａが押圧され、操作部１６１がバネ１６２の付勢力に抗して前方に移動する（図１９参照）。このように操作部１６１が移動すると、操作部１６１の規制片１６１ｂも前方に移動して、切換部１６３の突起１６３ｂと規制片１６１ｂとの当接が解除される。そうすると、中部通路１２２の湾曲部分よりも上方、つまり第２切欠部１１７よりも上流側にある遊技球がガイド壁１６３ａを押圧して、切換部１６３が第２切欠部１１７を開くように回動する。これにより、中部通路１２２の湾曲部分よりも上方にある遊技球は、第２切欠部１１７を介して球抜通路１２４内に流入する。このように、遊技機１の交換時等には、操作部１６１を押圧操作することによって、貯留ユニット５０（図５参照）や払出ユニット９０内に蓄えられている遊技球を島設備内に戻すことができる。
【０１２２】
図２０〜図２２を参照して、払出ユニット９０に配設される払出装置１４０について説明する。
【０１２３】
図２０（Ａ）は払出装置１４０の分解斜視図であり、図２０（Ｂ）は第２ケース部材２００に設置された払出装置１４０の後方斜視図である。図２１（Ａ）は払出ユニット９０の待機通路１２０に沿った縦断面の斜視図であり、図２１（Ｂ）は払出ユニット９０の待機通路１２０に沿った縦断面図である。図２２（Ａ）及び図２２（Ｂ）は、払出ユニット９０を前面枠５に設置した時の払出装置１４０の後方斜視図及び横断面図である。
【０１２４】
図２０（Ａ）及び図２０（Ｂ）に示すように、払出装置１４０は、待機通路１２０の下部通路１２３内に配設される回転体（スプロケット）１４１と、回転体１４１を回転駆動する駆動モータ１４２と、を備える。
【０１２５】
回転体１４１は、インサートパイプ１４３を介して駆動モータ１４２の出力軸１４２ａに固定される。回転体１４１の外周には、円弧状に窪み、待機通路１２０を流下してきた遊技球を保持する保持部１４１ａが形成される。保持部１４１ａは、回転体１４１の外周に沿って複数設けられる。
【０１２６】
回転体１４１の一方（駆動モータ１４２と対向する側）の端面には、円形のフランジ部
１４１ｂが形成される。フランジ部１４１ｂのフランジ高さは、保持部１４１ａに保持される遊技球の半分の高さを越えるように設定される。
【０１２７】
第２ケース部材２００のケース壁２１０の下部には、駆動モータ１４２に連結された回転体１４１が通過可能な円形の開口部２１２が形成されている。駆動モータ１４２は、回転体１４１を開口部２１２を介して下部通路１２３内に配設した状態で、ケース壁２１０の前面に固定される。この時、回転体１４１のフランジ部１４１ｂは、ケース壁２１０の開口部２１２を閉塞する。
【０１２８】
払出装置１４０の駆動モータ１４２が停止している時は、遊技球は、回転体１４１の保持部１４１ａ上に保持されており、回転体１４１よりも下流には流下しない。これに対して、払出条件に応じて駆動モータ１４２が駆動されると、回転体１４１が下部通路１２３内で回転し、保持部１４１ａに保持された遊技球が下部通路１２３の下流に払い出される。回転体１４１の保持部１４１ａは遊技球１個を保持するように形成されているため、回転体１４１が回転することによって遊技球は１個ずつ払い出される。
【０１２９】
図２１（Ａ）及び図２１（Ｂ）に示すように、払出ユニット９０の下部通路１２３は、中部通路１２２から流下してきた遊技球を後方に導いた後に再び前方に導くように前後方向に蛇行して形成されている。そのため、第２ケース部材２００のケース壁２１０は、下部通路１２３の前後方向の蛇行に対応して後方に窪む窪み部２１３を有し、第１ケース部材１００のケース壁１１０は、窪み部２１３に対応して後方に突出する突出部１１８を有する。
【０１３０】
払出装置１４０の駆動モータ１４２は、ケース壁２１０の窪み部２１３に取り付けられるので、駆動モータ１４２の遊技盤２０側への突出を抑制することができる。また、突出部１１８よりも上方のケース壁１１０の裏面には、駆動モータ１４２と払出制御装置４１（図３参照）とを電気的に接続する配線を中継するための中継基板１５１が設置される。中継基板１５１は、ケース壁１１０の裏面に固定される基板カバー１５２によって保護されている。
【０１３１】
このように駆動モータ１４２及び中継基板１５１は下部通路１２３の前後方向の蛇行を利用して第２ケース部材２００及び第１ケース部材１００に設置されるので、駆動モータ１４２及び中継基板１５１の配置効率が高められる。また、下部通路１２３の前後方向の蛇行によって、下部通路１２３内で待機している遊技球の重量を仕切壁１１１を介して分散でき、払出装置１４０の駆動モータ１４２に作用する負荷を低減できる。
【０１３２】
図２２（Ａ）及び図２２（Ｂ）に示すように、払出装置１４０が設置された払出ユニット９０は、前面枠５の取付壁５ｃの裏面に取り付けられる。取付壁５ｃは、払出装置１４０の駆動モータ１４２と対応する位置に、駆動モータ１４２を通過させるための通過開口５ｄを有している。したがって、払出ユニット９０が取付壁５ｃに取り付けられた場合には、駆動モータ１４２は通過開口５ｄを挿通した状態で配置される。このように駆動モータ１４２を取付壁５ｃの通過開口５ｄに挿通させることで、払出ユニット９０が後方へ突出するのを抑制でき、払出ユニット９０の配置効率が高められる。
【０１３３】
上記した払出ユニット９０では、第２ケース部材２００のケース壁２１０に、駆動モータ１４２に連結された回転体１４１が通過可能な開口部２１２を形成する。これにより、回転体１４１を駆動モータ１４２に接続した状態で駆動モータ１４２をケース壁２１０に着脱することができ、ケース壁２１０を挟んで回転体１４１と駆動モータ１４２を接続する場合に比べ、回転体１４１や駆動モータ１４２の組付作業性を改善することが可能となる。
【０１３４】
回転体１４１の一方の端面には開口部２１２を閉塞するフランジ部１４１ｂが形成されるので、外部から待機通路１２０内に異物が侵入したり、回転体１４１の保持部１４１ａに保持された遊技球が外部に流出したりすることを回避できる。
【０１３５】
また、回転体１４１の保持部１４１ａは１個の遊技球を保持するように形成され、フランジ部１４１ｂのフランジ高さは保持部１４１ａに保持された遊技球の半分の高さを越えるように設定される。保持部１４１ａに保持された遊技球は、保持部１４１ａ及び保持部１４１ａと一体的に回転するフランジ部１４１ｂに接触するが、第２ケース部材２００のケース壁２１０に対して摺動することがないので、第２ケース部材２００の摩耗等を防止することができる。
【０１３６】
さらに、第２ケース部材２００の後方に配置される第１ケース部材１００は透明樹脂材によって形成されるので、前面枠５を開いた時に第１ケース部材１００を介して待機通路１２０の内部を視認することができ、待機通路１２０内での球詰まりや回転体１４１の劣化等を確認することが可能となる。
【０１３７】
なお、開口部２１２は、払出ユニット９０の第２ケース部材２００のケース壁２１０に形成するのではなく、第１ケース部材１００のケース壁１１０に形成してもよい。この場合には、前面枠５の開放後に遊技盤２０を取り外すことなく、回転体１４１を駆動モータ１４２に設置したまま駆動モータ１４２をケース壁１１０に着脱することができ、回転体１４１や駆動モータ１４２の組付作業性をより改善することが可能となる。
【０１３８】
次に、図４、図５、図２３〜図２８を参照して、払出ユニット９０を前面枠５の取付壁５ｃに固定する固定機構について説明する。
【０１３９】
図２３（Ａ）及び図２３（Ｂ）は、払出ユニット９０上部の後方斜視図及び前方斜視図である。図２４（Ａ）は固定部材３００の係合片３２０が第１位置にある状態を示す図であり、図２４（Ｂ）は係合片３２０が第２位置にある状態を示す図である。図２５（Ａ）及び図２５（Ｂ）は、第２ケース部材２００に第１ケース部材１００を設置した時の払出ユニット９０の上部の前方斜視図及び縦断面図である。図２６（Ａ）及び図２６（Ｂ）は、前面枠５の上部の後方斜視図及び前方斜視図である。図２７は、払出ユニット９０と前面枠５の後方斜視図である。図２８（Ａ）及び図２８（Ｂ）は、前面枠５に払出ユニット９０を設置した時の払出ユニット９０の縦断面図及び横断面図である。
【０１４０】
図４及び図５に示すように、払出ユニット９０は、前面枠５よりも小形の部材であり、３つの固定部材３００を介して前面枠５の取付壁５ｃの裏面に固定される。これら固定部材３００による固定方法は同じであるので、払出ユニット９０の上部に配設される固定部材３００による払出ユニット９０と前面枠５との固定の仕方についてのみ説明する。
【０１４１】
図２３（Ａ）及び図２３（Ｂ）に示すように、固定部材３００は、前後方向に延設される軸部３１０と、軸部３１０の一端に設けられる係合片３２０と、軸部３１０の他端に設けられる操作部３３０と、を備える。
【０１４２】
係合片３２０は、軸部３１０の一端部から軸部３１０の径方向（側方）に突出形成される突起である。係合片３２０は一対設けられ、これら係合片３２０は軸部３１０の中心に対して点対称に配置される。係合片３２０の軸部３１０の周方向における幅Ｗは、軸部３１０の直径Ｄよりも狭く設定されている（図２３（Ｂ）参照）。
【０１４３】
操作部３３０は、軸部３１０の他端部から側方に延設された板状部材であって、係合片
３２０を回動させるために操作される。軸部３１０が設置される側の操作部３３０の端面には摺動リブ３３１が突出形成され、反対側の操作部３３０の端面には操作部３３０の操作を容易するための操作リブ３３２が突出形成される。
【０１４４】
第１ケース部材１００のケース壁１１０には、固定部材３００の軸部３１０を回動可能に支持する軸受部１７１が前方に突出形成される。軸受部１７１は、前後方向に貫通し、軸部３１０を支持する支持孔１７１ａと、支持孔１７１ａと連通し、固定部材３００の係合片３２０が前後方向に通過可能な通過溝１７１ｂとを有する。通過溝１７１ｂは係合片３２０に対応して一対設けられ、これら支持孔１７１ａは水平に配置される。固定部材３００は、支持孔１７１ａ及び通過溝１７１ｂを介して、第１ケース部材１００の後方から第１ケース部材１００に取り付けられる。
【０１４５】
固定部材３００が第１ケース部材１００に設置されている時には、軸部３１０の先端及び係合片３２０は、支持孔１７１ａ及び通過溝１７１ｂを挿通した状態で、軸受部１７１よりも前方に突出する。軸受部１７１の先端の上部及び下部には、固定部材３００の軸部３１０に沿って延設され、係合片３２０の回動位置に応じて係合片３２０の操作部３３０側の端面に当接可能な当接部１７２が突出形成される。
【０１４６】
第１ケース部材１００のケース壁１１０は固定部材３００の操作部３３０が摺動する摺動壁として形成されており、ケース壁１１０の裏面には、操作部３３０の摺動リブ３３１をガイドするガイド部１７３と、操作部３３０の回動の上限及び下限を規制する上限ストッパ１７４及び下限ストッパ１７５とが形成される。
【０１４７】
ガイド部１７３は、ケース壁１１０の裏面に円弧状に突出形成されている。固定部材３００の操作部３３０の摺動リブ３３１は、ガイド部１７３の上面に沿ってスライド移動する。
【０１４８】
上限ストッパ１７４はガイド部１７３の上端側に突出形成され、下限ストッパ１７５はガイド部１７３の下端側に突出形成される。固定部材３００の操作部３３０は、上限ストッパ１７４と下限ストッパ１７５との間において略９０°の回動範囲で回動可能となっている。
【０１４９】
固定部材３００の操作部３３０の一側面が下限ストッパ１７５に当接する場合には、一対の係合片３２０は水平位置（第２位置）に設定され（図２４（Ａ）参照）、固定部材３００の操作部３３０の他側面が上限ストッパ１７４に当接する場合には、一対の係合片３２０は鉛直位置（第１位置）に設定される（図２４（Ｂ）参照）。
【０１５０】
図２４（Ａ）に示すように、固定部材３００の係合片３２０が第２位置にある時には、係合片３２０は、軸受部１７１の当接部１７２から外れ、軸受部１７１の通過溝１７１ｂを通過可能な状態となる。したがって、係合片３２０が第２位置にある場合に、固定部材３００を第１ケース部材１００に着脱することが可能となる。
【０１５１】
なお、固定部材３００の操作部３３０は、軸部３１０の軸心からずれた位置に重心が設定されており、係合片３２０が第２位置にある場合に操作部３３０の重心が軸部３１０の軸心の直下に位置するように形成されている。
【０１５２】
図２４（Ｂ）に示すように、第１ケース部材１００に取り付けられた固定部材３００の係合片３２０が第１位置にある時には、係合片３２０は軸受部１７１の先端に設けられた当接部１７２と当接する。このように係合片３２０の操作部３３０側の端面と当接部１７２の先端面とが当接することで、固定部材３００の操作部３３０は上限ストッパ１７４に
接した状態で姿勢が維持される。
【０１５３】
図２３（Ａ）及び図２３（Ｂ）に示すように、第２ケース部材２００のケース壁２１０には、第１ケース部材１００の軸受部１７１と対応する位置に、固定部材３００の係合片３２０及び第１ケース部材１００の当接部１７２の先端を挿通させる挿通凹部２２０が形成される。
【０１５４】
挿通凹部２２０の前面（前面枠５側の面）はケース壁１１０から後方に窪んで形成され、挿通凹部２２０の裏面（第１ケース部材１００側の面）はケース壁１１０から後方に突出形成されている。挿通凹部２２０は、前後方向に貫通し、係合片３２０と当接部１７２とが当接している場合（係合片３２０が第１位置にある場合）にのみ、係合片３２０及び当接部１７２の先端の挿通を許容する縦長の挿通孔２２１を有している。
【０１５５】
したがって、固定部材３００が設置された第１ケース部材１００を第２ケース部材２００に組付ける場合には、図２５（Ａ）及び図２５（Ｂ）に示すように、固定部材３００の係合片３２０は、第１位置にあって当接部１７２と当接した状態となっている。第１ケース部材１００と第２ケース部材２００の組付け時には、第１ケース部材１００の軸受部１７１の先端は第２ケース部材２００の挿通凹部２２０の裏面に当接し、挿通孔２２１を挿通した係合片３２０及び当接部１７２の先端は挿通凹部２２０内に突出する。
【０１５６】
なお、第１ケース部材１００と第２ケース部材２００の組付け後に、固定部材３００の操作部３３０を回動操作して、挿通凹部２２０の挿通孔２２１を挿通した係合片３２０を第１位置から第２位置に変換させると、係合片３２０が挿通孔２２１を通過できなくなって（係合片３２０が挿通凹部２２０の前面に引っ掛かるようになって）、固定部材３００が第２ケース部材２００から引き抜けなくなるので、固定部材３００によって第１ケース部材１００と第２ケース部材２００とを仮止めすることが可能となる。
【０１５７】
図２６（Ａ）及び図２６（Ｂ）に示すように、前面枠５の取付壁５ｃには、第２ケース部材２００の挿通凹部２２０と対応する位置に、固定部材３００の係合片３２０と係合可能な係合受部４５が形成される。
【０１５８】
係合受部４５の前面は取付壁５ｃから後方に窪んで形成され、係合受部４５の裏面は取付壁５ｃから後方に突出形成されている。係合受部４５は、前後方向に貫通し、係合片３２０と当接部１７２とが当接している場合（係合片３２０が第１位置にある場合）にのみ、係合片３２０及び当接部１７２の先端の挿通を許容する縦長の挿通孔４６を有している。
【０１５９】
なお、前面枠５の裏面の上部及び下部には、第２ケース部材２００のケース壁２１０の前面に突出形成される突起２１４（図１５（Ｂ）参照）と嵌合する嵌合穴４７が形成されている。第２ケース部材２００の突起２１４が前面枠５の嵌合穴４７に嵌ることで（図１１参照）、前面枠５に対して払出ユニット９０が位置決めされる。なお、係合受部４５が第２ケース部材２００の挿通凹部２２０と嵌合することでも、払出ユニット９０の位置決めが行われる。
【０１６０】
図２７及び図２８（Ａ）に示すように、固定部材３００が設置された払出ユニット９０を前面枠５の裏面に組付ける場合には、固定部材３００の操作部３３０は上限ストッパ１７４に当接した状態、つまり係合片３２０が第１位置にあって当接部１７２と当接した状態となっている。この状態では、払出ユニット９０の第２ケース部材２００の挿通凹部２２０内に前面枠５の係合受部４５が挿入され、挿通孔２２１及び挿通孔４６を挿通した係合片３２０が係合受部４５の前面側に突出する。また、係合片３２０と当接している当接
部１７２の先端面と係合受部４５の前面とは略面一となる。
【０１６１】
図２８（Ｂ）に示すように、払出ユニット９０を前面枠５に組付けた後に、固定部材３００の操作部３３０を回動操作して、挿通凹部２２０の挿通孔２２１及び係合受部４５の挿通孔４６を挿通した係合片３２０を第１位置から第２位置に変換させると、係合片３２０が当接部１７２から外れて、係合片３２０と係合受部４５とが係合する。これにより、前面枠５よりも小形の払出ユニット９０が、固定部材３００の操作部３３０と係合片３２０との間で、前面枠５の取付壁５ｃに固定される。なお、払出ユニット９０の第２ケース部材２００は、第１ケース部材１００の軸受部１７１の前面と前面枠５の係合受部４５の裏面との間で挟持されている。
【０１６２】
上記した払出ユニット９０と前面枠５との固定機構によれば、次の効果を得ることができる。
【０１６３】
小形の払出ユニット９０側から固定部材３００を取り付け、払出ユニット９０の第１ケース部材１００と摺動する固定部材３００の操作部３３０と前面枠５の係合受部４５と係合する係合片３２０とによって、前面枠５に払出ユニット９０を固定する。このように取り回しが容易な小形の払出ユニット９０に固定部材３００を配設したので、固定部材３００の取付作業を改善することが可能なる。また、固定部材３００の係合片３２０は、第１ケース部材１００の軸受部１７１に形成された当接部１７２と当接した状態で、前面枠５の挿通孔４６に挿通されるので、挿通時に係合片３２０が挿通孔４６等と衝突しても係合片３２０の破損が抑制される。
【０１６４】
前面枠５の挿通孔４６は、固定部材３００の係合片３２０が第１位置にある場合にのみ係合片３２０の挿通を許容するように形成されており、払出ユニット９０の当接部１７２は、係合片３２０が第１位置にある場合に係合片３２０と当接するように形成されている。係合片３２０と当接部１７２とが当接することで、係合片３２０を前面枠５の挿通孔４６を挿通可能な状態に維持することができ、固定部材３００が配設された払出ユニット９０を前面枠５に取り付ける取付作業が簡便となる。
【０１６５】
第１ケース部材１００の当接部１７２は、軸受部１７１の先端から固定部材３００の軸部３１０に沿って突出形成された突起であるので、払出ユニット９０の固定作業時等における軸部３１０の破損等を抑制することができる。
【０１６６】
固定部材３００の係合片３２０は軸部３１０の周方向における幅が軸部３１０の直径よりも狭く設定されており、第１ケース部材１００の軸受部１７１は係合片３２０が第２位置にある場合にのみ係合片３２０が通過可能な通過溝１７１ｂを備える。したがって、固定部材３００の軸部３１０を軸受部１７１によって回動可能に支持でき、さらに固定部材３００が第１ケース部材１００に対して着脱可能となる。
【０１６７】
前面枠５の係合受部４５は取付壁５ｃに窪んだ状態で形成されるので、固定部材３００の係合片３２０と係合受部４５の係合時に、係合片３２０が取付壁５ｃよりも前方に突出することがない。固定部材３００の係合片３２０が他の部材等と衝突し難くなるので、係合片３２０の破損等が抑制される。
【０１６８】
固定部材３００の操作部３３０は、係合片３２０が前面枠５の係合受部４５と係合する第２位置にある場合に、操作部３３０の重心が軸部３１０の軸心の直下に位置するように形成されている。したがって、操作部３３０に振動等が加わっても、係合片３２０が第２位置から変化することがなく、係合片３２０と係合受部４５との係合状態を維持させることが可能となる。
【０１６９】
次に、図３、図２９〜図３４を参照して、遊技盤２０の裏面に配設される演出制御装置３６等（裏面構成部材）を保護する保護カバー３７について説明する。
【０１７０】
図２９は、遊技盤２０の後方斜視図である。図３０は保護カバー３７の一側部分を拡大した遊技盤２０の後方斜視図であり、図３１は保護カバー３７の他側部分を拡大した遊技盤２０の後方斜視図である。図３２（Ａ）及び図３２（Ｂ）は、係合部３７０近傍の保護カバー３７の後方斜視図及び横断面図である。図３３は、遊技盤２０の横断面図である。図３４（Ａ）は遊技盤２０及び払出ユニット９０が設置された前面枠５の裏面図であり、図３４（Ｂ）は保護カバー３７の係合部３７０と払出ユニット９０の待機通路１２０との関係を説明する図である。
【０１７１】
図３及び図２９に示すように、遊技盤２０の裏面には、制御ベース３３を介して演出制御装置３６が設けられ、制御ベース３３の下方に配設されるスイッチベース３８を介して遊技制御装置３５が設けられる。保護カバー３７は、演出制御装置３６に配設され、演出制御装置３６の裏面及び遊技制御装置３５の裏面上部を覆う。このように保護カバー３７は、遊技盤２０の裏面に配設される各種部材（裏面構成部材）を保護するものである。遊技盤２０が前面枠５に設置された状態では、保護カバー３７は、貯留ユニット５０の下方及び払出ユニット９０の側方において前面枠５の開口部５ｂ（図４参照）を介して遊技機１の後方に露出する。
【０１７２】
図３、図２９、及び図３０に示すように、払出ユニット９０側とは反対側の保護カバー３７の側部は、演出制御装置３６の裏面側部に形成された一対の支持部３６ａによって回動可能に支持されている。したがって、払出ユニット９０側の保護カバー３７の側部は、演出制御装置３６に対して開閉回動自在となる。
【０１７３】
なお、遊技制御装置３５もスイッチベース３８の裏面側部に形成された一対の支持部３８ａによって回動自在に支持されている。
【０１７４】
図３及び図３１に示すように、払出ユニット９０側の保護カバー３７の側部には、演出制御装置３６の裏面側部に設けられた係合受部３９と係合する係合部３７０が形成される。
【０１７５】
図３２（Ａ）、図３２（Ｂ）、及び図３３に示すように、保護カバー３７の係合部３７０は、保護カバー３７の側部から前方に延設された後に折り返されて後方に延設される横断面Ｕ字状の板ばね部３７１と、板ばね部３７１の折り返し部分よりも先端側の側面に突出形成される係合爪３７２と、板ばね部３７１の先端から後方に突出形成される操作部３７３と、を備える。板ばね部３７１及び係合爪３７２は上下方向にそれぞれ一対設けられており、操作部３７３は上側の板ばね部３７１と下側の板ばね部３７１の間に形成されている。
【０１７６】
係合部３７０と係合可能な演出制御装置３６の係合受部３９は、保護カバー３７と払出ユニット９０の間に配設される（図３参照）。係合受部３９は保護カバー３７と対向する壁部３９ａを有し、この壁部３９ａには係合部３７０の板ばね部３７１を挿通可能なように前後方向に貫通する貫通孔３９ｂが形成されている。
【０１７７】
図３２（Ｂ）及び図３３に示すように、払出ユニット９０側の保護カバー３７の側部が演出制御装置３６に当接して、保護カバー３７が演出制御装置３６の裏面を覆っている場合、つまり保護カバー３７が閉じている場合には、係合部３７０の板ばね部３７１は係合受部３９の貫通孔３９ｂを介して係合受部３９の前方に突出する。この時、係合部３７０
の係合爪３７２は係合受部３９の前面側に位置する。したがって、払出ユニット９０側の保護カバー３７の側部を演出制御装置３６から離間するように回動させようとしても、係合爪３７２が係合受部３９の前面に引っ掛かるので、保護カバー３７は閉じた状態に維持される。
【０１７８】
一方、保護カバー３７を開く場合には、係合部３７０の板ばね部３７１の先端が固定端に接近するように、係合部３７０の操作部３７３を操作する。このように操作することで係合爪３７２と係合受部３９との係合が解除され、板ばね部３７１及び係合爪３７２を貫通孔３９ｂから引き抜くことができ、保護カバー３７を開くことが可能となる。
【０１７９】
上記した保護カバー３７を備えた遊技盤２０を前面枠５の前面に配設した場合には、図３４（Ａ）に示すように、保護カバー３７の係合部３７０の側方に払出ユニット９０が位置している。払出ユニット９０は、保護カバー３７との間に係合部３７０の操作部３７３を操作するための操作用空間Ｓ４を形成するように、係合部３７０と対応する位置に凹部９１を有している。
【０１８０】
払出ユニット９０の凹部９１は、図３４（Ｂ）に示すように、ケース壁１１０、２１０の間に設けられる待機通路１２０の中部通路１２２の側方に形成される。中部通路１２２は、左右方向に蛇行して形成された通路であって、係合部３７０の操作部３７３よりも上方に配設される第１通路１３１と、操作部３７３の側方に配設される第２通路１３２と、操作部３７３よりも下方に配設される第３通路１３３とを備える。
【０１８１】
第１通路１３１は、操作部３７３よりも上方において左右方向に延設され、上流から流れてきた遊技球を操作部３７３から離間するように流下させる。
【０１８２】
第２通路１３２は、操作部３７３の側方において上下方向に延設される。第２通路１３２は、第１通路１３１からの遊技球を操作部３７３の側方を通過するように流下させる通路であって、第１通路１３１からの遊技球を下方に誘導する上湾曲部１３２ａと、上湾曲部１３２ａからの遊技球を第３通路１３３に誘導するように湾曲する下湾曲部１３２ｂとを備える。
【０１８３】
第３通路１３３は、操作部３７３よりも下方において左右方向に延設され、第２通路１３２の下湾曲部１３２ｂから流れてきた遊技球を操作部３７３に接近するように流下させた後に下方に流下させる。
【０１８４】
操作用空間Ｓ４を形成するための払出ユニット９０の凹部９１は、中部通路１２２の蛇行形状を利用して設けられ、第１通路１３１と第３通路１３３の間であって第２通路１３２の側方に形成される。
【０１８５】
また、中部通路１２２には、流下する遊技球の通路を中部通路１２２又は球抜通路１２４に切り替える通路切換機構１６０の切換部１６３が設けられている。球抜通路１２４は、保護カバー３７とは反対側の上湾曲部１３２ａの側面に形成された第２切欠部１１７を介して中部通路１２２から分岐している。通路切換機構１６０の切換部１６３は、ガイド壁１６３ａは第２切欠部１１７を介して中部通路１２２内に臨むように、上湾曲部１３２ａと球抜通路１２４との分岐部分に設けられている。このように中部通路１２２の第２通路１３２の上湾曲部１３２ａに切換部１６３を配設する場合には、切換部１６３の配置を考慮して、第２通路１３２の上下方向長さがある程度長く設定される。これにより第１通路１３１と第３通路１３３の上下間隔が広くなり、第２通路１３２の側方に配設される凹部９１が大きくなるので、操作用空間Ｓ４が拡大する。
【０１８６】
なお、本実施形態では、保護カバー３７を演出制御装置３６の支持部３６ａに支持させ、演出制御装置３６の係合受部３９に係合させる構成としたが、制御ベース３３に支持部及び係合受部を形成して制御ベース３３に支持及び係合させるようにしてもよい。また、演出制御装置３６や制御ベース３３といった遊技盤要素の部材に支持及び係合させるのではなく、前面枠５の払出ユニット９０とは反対側の端部に支持部を設けるとともに、払出ユニット９０側の取付壁５ｃ等に係合受部を設けてもよい。
【０１８７】
上記した保護カバー３７及び払出ユニット９０によれば、次の効果を得ることができる。
【０１８８】
遊技盤２０の裏面に配設される裏面構成部材を保護する保護カバー３７は払出ユニット９０側の側部に係合受部３９と係合可能な係合部３７０を備え、払出ユニット９０は係合部３７０の操作部３７３を操作するための操作用空間Ｓ４を形成するように係合部３７０と対応する位置に凹部９１を備える。これにより係合部３７０の操作部３７３の周囲に操作用空間Ｓ４が形成されるので、係合部３７０と係合受部３９の係合解除時における操作部３７３の操作が容易となる。
【０１８９】
また、操作用空間Ｓ４を形成するための払出ユニット９０の凹部９１は、中部通路１２２の蛇行形状を利用して設けられ、第１通路１３１と第３通路１３３の間であって第２通路１３２の側方に形成されるので、凹部９１を形成しても払出ユニット９０が大形化することがない。
【０１９０】
さらに、中部通路１２２の第２通路１３２の上湾曲部１３２ａに通路切換機構１６０の切換部１６３を配設するので、第２通路１３２の上下方向長さは切換部１６３の配置を考慮してある程度長く設定される。そのため、第１通路１３１と第３通路１３３の上下間隔が広くなって、第２通路１３２の側方に配設される凹部９１が大きくなる。これにより操作用空間Ｓ４が拡大されるので、係合部３７０と係合受部３９の係合解除時における操作部３７３の操作がより容易となる。
【０１９１】
なお、本発明は上記の実施形態に限定されずに、その技術的な思想の範囲内において種々の変更がなし得ることは明白である。
【産業上の利用可能性】
【０１９２】
本発明の遊技機は、上記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【符号の説明】
【０１９３】
１        遊技機
５        前面枠（取付ベース部材）
５ｃ      取付壁（ベース壁）
４５      係合受部
４６      挿通孔
５０      貯留ユニット
８０      外部情報ユニット
９０      払出ユニット（被取付部材）
１００    第１ケース部材（第１被取付部材）
１１０    ケース壁
１４０    払出装置
１７１    軸受部
１７１ａ  支持孔
１７１ｂ  通過溝
１７２    当接部
１７３    ガイド部
１７４    上限ストッパ
１７５    下限ストッパ
２００    第２ケース部材（第２被取付部材）
２１０    ケース壁
２２０    挿通凹部（挿通部）
２２１    挿通孔
３００    固定部材
３１０    軸部
３２０    係合片
３３０    操作部
【図１】
2014012155.tif 000003
【図２】
2014012155.tif 000004
【図３】
2014012155.tif 000005
【図４】
2014012155.tif 000006
【図５】
2014012155.tif 000007
【図６】
2014012155.tif 000008
【図７】
2014012155.tif 000009
【図８】
2014012155.tif 000010
【図９】
2014012155.tif 000011
【図１０】
2014012155.tif 000012
【図１１】
2014012155.tif 000013
【図１２】
2014012155.tif 000014
【図１３】
2014012155.tif 000015
【図１４】
2014012155.tif 000016
【図１５】
2014012155.tif 000017
【図１６】
2014012155.tif 000018
【図１７】
2014012155.tif 000019
【図１８】
2014012155.tif 000020
【図１９】
2014012155.tif 000021
【図２０】
2014012155.tif 000022
【図２１】
2014012155.tif 000023
【図２２】
2014012155.tif 000024
【図２３】
2014012155.tif 000025
【図２４】
2014012155.tif 000026
【図２５】
2014012155.tif 000027
【図２６】
2014012155.tif 000028
【図２７】
2014012155.tif 000029
【図２８】
2014012155.tif 000030
【図２９】
2014012155.tif 000031
【図３０】
2014012155.tif 000032
【図３１】
2014012155.tif 000033
【図３２】
2014012155.tif 000034
【図３３】
2014012155.tif 000035
【図３４】
2014012155.tif 000036
【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
遊技機に設けられる取付ベース部材と、
固定部材によって前記取付ベース部材に取り付けられる被取付部材と、を備え、
前記固定部材は、
軸部と、
前記軸部の一端に設けられ、前記軸部側方に突出形成される係合片と、
前記軸部の他端に設けられ、前記係合片を回動させるための操作部と、を備え、
前記係合片が略鉛直となる位置を第１位置とし、前記係合片が略水平となる位置を第２位置とし、
前記被取付部材は、
前記係合片を挿通可能な第１挿通孔を備える壁部と、
前記係合片に前記操作部側から当接可能な当接部と、を備え、
前記第１挿通孔は、前記係合片が前記第２位置にある場合にのみ前記係合片の挿通を許容し、
前記第１挿通孔を通過した前記係合片が前記第２位置から前記第１位置に変換された場合に前記当接部は前記係合片に当接可能となるように形成され、
前記取付ベース部材は、
前記係合片を挿通可能な第２挿通孔と、
前記係合片と係合可能な係合受部と、を備え、
前記第２挿通孔は、前記係合片が前記第１位置にある場合にのみ前記係合片の挿通を許容するように形成され、
前記係合片が、前記第１挿通孔に挿入され前記第２位置から前記第１位置に変換された後、前記第２挿通孔に挿入され前記第１位置から前記第２位置に変換された場合に、当該係合片が前記係合受部と係合することで、前記係合受部と係合する前記係合片と前記壁部に当接する前記操作部との間で、前記被取付部材が前記取付ベース部材に取り付けられることを特徴とする遊技機。 
【手続補正２】
【補正対象書類名】明細書
【補正対象項目名】０００５
【補正方法】変更
【補正の内容】
【０００５】
ところで、特許文献１や特許文献２に記載の遊技機のように取付ベース部材に対して固定部材を取り付ける場合には、取付ベース部材の取り回しに手間が掛かり、固定部材の取付作業を行いにくいという問題がある。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
そこで、本発明は上記した問題点に鑑みてなされたものであり、固定部材の取付作業性を向上させることを目的とする。 
【手続補正５】
【補正対象書類名】明細書
【補正対象項目名】０００８
【補正方法】変更
【補正の内容】
【０００８】
本発明は、遊技機に設けられる取付ベース部材と、固定部材によって前記取付ベース部材に取り付けられる被取付部材と、を備え、前記固定部材は、軸部と、前記軸部の一端に設けられ、前記軸部側方に突出形成される係合片と、前記軸部の他端に設けられ、前記係合片を回動させるための操作部と、を備え、前記係合片が略鉛直となる位置を第１位置とし、前記係合片が略水平となる位置を第２位置とし、前記被取付部材は、前記係合片を挿通可能な第１挿通孔を備える壁部と、前記係合片に前記操作部側から当接可能な当接部と、を備え、前記第１挿通孔は、前記係合片が前記第２位置にある場合にのみ前記係合片の挿通を許容し、前記第１挿通孔を通過した前記係合片が前記第２位置から前記第１位置に変換された場合に前記当接部は前記係合片に当接可能となるように形成され、前記取付ベース部材は、前記係合片を挿通可能な第２挿通孔と、前記係合片と係合可能な係合受部と、を備え、前記第２挿通孔は、前記係合片が前記第１位置にある場合にのみ前記係合片の挿通を許容するように形成され、前記係合片が、前記第１挿通孔に挿入され前記第２位置から前記第１位置に変換された後、前記第２挿通孔に挿入され前記第１位置から前記第２位置に変換された場合に、当該係合片が前記係合受部と係合することで、前記係合受部と係合する前記係合片と前記壁部に当接する前記操作部との間で、前記被取付部材が前記取付ベース部材に取り付けられることを特徴とする。 
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
本発明によれば、被取付部材側から固定部材を取り付け、被取付部材の壁部に当接する固定部材の操作部と取付ベース部材の係合受部と係合する固定部材の係合片との間で、取付ベース部材に被取付部材を固定するので、固定部材の取付作業を改善することが可能となる。
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】